(57)【要約】  漂白剤（２０）と洗剤組成物（２３）とが清掃面へ出される、交換可能な清掃パッド（１０）が開示される。このパッドは、使用前は漂白剤（２０）を洗剤成分（２３）および他の化学物質から分離して保持できる。しかし、パッド（１０）を濡らすと、化合した化学物質が清掃面へ迅速に出される。最も好ましくは、洗剤混合物は、パッドへ融解固定される。一実施形態ではパッドは２層（１２、１４）パッドであり、他の実施形態ではパッドは３層（１２、１４、１５）パッドである。
2010515482.tif 000002
【特許請求の範囲】
【請求項１】
複数層の表面清掃パッドであって、
外周を有する透水性の第１の層と、
外周を有する第２の層であって、前記第１の層と前記第２の層とは前記第１の層の前記外周および前記第２の層の前記外周を囲んで相互に結合している、前記第２の層と、
前記結合された第１および第２の層の間に形成される空洞の中に配置される固体漂白剤と、
前記漂白剤から基本的に隔離された位置で前記パッドの中に組み込まれた洗浄剤と、
を備えるパッド。
【請求項２】
前記固体漂白剤が、透水性のポーチ内に包含され、前記ポーチは前記第１及び第２の層の間に形成される前記空洞の中に配置されることを特徴とする請求項１に記載のパッド。
【請求項３】
前記洗浄剤は、前記空洞の表面の少なくとも一部に取り付けられていることを特徴とする請求項１または２に記載のパッド。
【請求項４】
前記洗浄剤は、固体水溶性ワックス状の非イオン界面活性剤を含むことを特徴とする請求項１〜３のいずれか１項に記載のパッド。
【請求項５】
前記固体水溶性ワックス状の非イオン界面活性剤は、４０℃より高い温度において流動性を有することを特徴とする請求項４に記載のパッド。
【請求項６】
前記固体漂白剤は、過酸化物系漂白剤化合物および固体ハロゲン系漂白剤化合物の一方であることを特徴とする請求項１〜５のいずれか１項に記載のパッド。
【請求項７】
前記固体漂白剤は、トリクロロイソシアヌル酸、ジクロロイソシアヌール酸ナトリウム、ジクロロイソシアヌール酸ナトリウム二水和物、およびそれらの混合物からなる群から選択されるハロゲン系漂白剤化合物であることを特徴とする請求項１〜６のいずれか１項に記載のパッド。
【請求項８】
前記固体漂白剤は、アルカリ金属過ホウ酸塩、アルカリ金属過炭酸塩、２ＫＨＳＯ5、ＫＨＳＯ4、Ｋ2ＳＯ4、固体有機過カルボン酸化合物、およびそれらの混合物からなる群から選択される過酸化物系漂白剤化合物であることを特徴とする請求項１〜７のいずれか１項に記載のパッド。
【請求項９】
前記パッドは、前記第１の層と前記第２の層との間に配置される中間層を含み、
前記空洞は、前記第２の層と前記中間層との間に画定され、
前記洗浄剤は、前記第１の層と前記中間層との間に画定される第２の空洞の中に配置されることを特徴とする請求項１〜８のいずれか１項に記載のパッド。
【請求項１０】
前記洗浄剤は、前記パッドに融解固定されることを特徴とする請求項１〜９のいずれか１項に記載のパッド。
【請求項１１】
前記第１の層は、研磨性の外表面を有することを特徴とする請求項１〜１０のいずれか１項に記載のパッド。
【請求項１２】
前記第２の層は、フックアンドループ接着システムの一部を形成する構造となっていることを特徴とする請求項１〜１１のいずれか１項に記載のパッド。
【請求項１３】
前記洗浄剤は事前に成形された固体であることを特徴とする請求項１〜１２のいずれか１項に記載のパッド。
【請求項１４】
フックループ式ファスナシステムの一方の部分を含むハンドルと、
複数層の表面処理パッドと、
を含む清掃用具であって、
前記複数層の表面処理パッドは、
（ｉ）外周を有する透水性の第１の層と、
（ｉｉ）外周を有しかつ前記フックループ式ファスナシステムの係合部として作用する第２の層であって、前記第１の層の前記外周と前記第２の層とは前記第１の層の前記外周と前記第２の層の前記外周とを囲んで相互に結合している、前記第２の層と、
（ｉｉｉ）前記第１及び第２の層の間に画定された空洞の中に配置された透水性のポーチに包含されている固体漂白剤と、
を含む、清掃用具。
【請求項１５】
硬質表面の清掃方法であって、
第１の透水性の外部層と、透水性の中間層と、第２の外部層と、前記第１の外部層と前記中間層とが形成する第１の空洞と、前記中間層と前記第２の外部層とが形成する第２の空洞と、前記第１の空洞もしくは前記第２の空洞の一方に内包された固体洗浄剤と、前記第１の空洞もしくは前記第２の空洞の他方に内包された固体漂白剤と、を含む複数層の清掃パッドを準備し、
前記清掃パッドを濡らし、
前記表面と前記透水性の外部層とが接触するように前記硬質表面上を前記パッドで拭く、
ことを含む硬質表面の清掃方法。
【発明の詳細な説明】
【技術分野】
【０００１】
本発明は、洗剤化合物とともに漂白剤が清掃する表面に出される交換可能な清掃パッドに関する。特に、配合禁忌の薬品が使用前の相互接触を回避するように構成された、交換可能な清掃パッドに関する。
【背景技術】
【０００２】
ハンドルが清掃ヘッドにつながっている清掃用具は多種類のものが知られている。たとえば、床用モップは一般的にスポンジ状、あるいはラグ状の清掃ヘッドにつながるハンドルを有する。しかし、このような清掃ヘッドは時間がたつにつれ汚れたり、および／または悪臭を放つようになり、また使用後に望ましくない液体が出てきたりすることがしばしばある。従って、消費者はこれらを使わないときに保管することを嫌う。
【０００３】
これまでに、低価格の交換可能な清掃ヘッドを持つ拭き掃除用具を作るために、このようなハンドル付きの交換可能な清掃ヘッドが開発されてきた。たとえば特許文献１を参照されたい。また特許文献２も参照されたい。この特許文献の開示内容全体は参照として本明細書に援用する。これらの装置においては、毎回使用後に清掃ヘッドを破棄でき、次の使用前に新しい清掃ヘッドをハンドルへ組み付けることが可能である。
【０００４】
そのような装置においては、清掃ヘッド／パッドは単に拭くための道具として作用し、洗浄用液は分離して塗布される。別の装置では、工場でパッドの一部分に洗浄用液を染み込ませておき、使用するまでパッドが乾燥しないように袋で包んでおく。このような装置では、単純なスポンジや単純なスクラブパッドに比べて、包装費が相対的に高くつく。
【０００５】
さらに湿式含浸法（ｗｅｔ  ｉｍｐｒｅｇｎａｔｉｏｎ  ｓｙｓｔｅｍ）では、含浸に利用できる化学薬品が限られる。たとえば、多くの界面活性剤、洗浄補助剤、染料、芳香剤は、漂白剤を含む液体媒体の中では、漂白剤の分解を伴わずに長期間保存することはできない。別の考慮すべき点としては、特にハロゲン系の漂白剤に関連するが、パッドの構成材料との相互作用を介して漂白剤の拮抗作用的な劣化（ａｎｔａｇｏｎｉｓｔｉｃ  ｄｅｇｒａｄａｔｉｏｎ）が生じることである。また湿式含浸法では、使用時におけるパッドからの放出能力を妨げずに、さまざまな化学成分のパッドに沿う移動を制御することは困難である。
【０００６】
種々の特許の引用において、たとえば特許文献３、４およびそれらの参照文献において、清掃パッド／用具の一部分として洗浄剤と漂白剤の両方を含む固体混合物が述べられている。しかし、洗剤成分を固体漂白剤と結合させると、漂白剤化合物の化学的汚染によって、漂白剤化合物の早期劣化が起きる。従って、化学的な非適合性のために漂白剤化合物と密接して混合することのできる洗剤成分の種類が制限されることが多い。ゆえに、洗剤成分を漂白剤から物理的に分離する清掃パッドが、量産パッドにおける漂白剤の最適な長期安定性を促進する。そして使用できる洗剤成分の最適配合を可能とし、本質的に劣化しない洗剤成分を含む清掃製品をエンドユーザに提供できる。
【０００７】
特許文献５には、１枚の可撓性基材をＳ字状に折り畳んで形成した積層構造の、衣類洗濯用の洗剤積層物が開示されている。折り畳まれた基材の１つの領域に、ペーストの形の界面活性剤を含んだ洗剤化合物が配置されており、このペーストがその領域を囲む２つの基材を結合できるだけの接着強度を有している。この洗剤組成物の入っている所とは分離された折り畳まれた基材の第２の領域には、漂白剤や、漂白剤の前駆体、酵素、および／または繊維軟化剤などの成分を含む、基本的には接着剤である第２の組成物がある。Ｓ字型構造をした３枚の基材の折り蓋領域の間には、それ以外の接合はされていない。それは、１枚の可撓性基材が、洗濯用の水の中で開いて洗剤組成物および第２の組成物が開放されるようになっているからである。
【０００８】
特許文献６では、界面活性剤および漂白剤が分離して押し出されて縞状に塗布された化学雑巾が開示された。しかし、この製品の製造コストはかなり大きくなる。
【０００９】
より一般的には、特許文献７で、化学雑巾の界面活性剤としてエトキシル化アルコールおよびアルキル硫酸ナトリウムが望ましいことが開示され、特許文献８では、界面活性剤を含む洗浄組成物にポリアクリル酸ナトリウムを添加することが公知であることが開示され、特許文献９では、ポーチ梱包方式における種々の漂白剤が開示されている。
【先行技術文献】
【特許文献】
【００１０】
【特許文献１】米国特許出願公開第２００４／０１１７９３５号明細書
【特許文献２】米国特許出願公開第２００６／００４８３１９号明細書
【特許文献３】米国特許第４９３５１５８号明細書
【特許文献４】米国特許第５１０８６４２号明細書
【特許文献５】米国特許第５２０２０４５号明細書
【特許文献６】米国特許出願公開第２００５／０１０７２８２号明細書
【特許文献７】米国特許出願公開第２００２／０１３２７４７号明細書
【特許文献８】米国特許出願公開第２００４／０１０２３５０号明細書
【特許文献９】米国特許第６７２７２１５号明細書
【発明の概要】
【発明が解決しようとする課題】
【００１１】
このような多種類の清掃用具および洗浄材料にもかかわらず、漂白剤と界面活性剤の両方が出される、交換可能清掃パッドへの改良要求が未だに存在する。
【００１２】
本発明は、全般的な態様として、固体の洗剤混合物と固体の漂白剤とを含む複数層（たとえば２層あるいは３層）の表面処理パッドであって、固体漂白剤と固体洗浄剤とが物理的に分離／隔離されているパッドを提供する。
【課題を解決するための手段】
【００１３】
本発明の１つの態様では、外周を有する透水性の第１の層と、外周を有する第２の層とを含む複数層の表面処理パッドを提供する。第１の層と第２の層とは、第１の層の外周と第２の層の外周を囲んで相互に結合されている。固体漂白剤は、第１の層と第２の層との間に画定される空洞の中に配置される。洗浄剤は、漂白剤からは基本的に隔離された位置でパッドの中に組み込まれる。
【００１４】
本発明の別の態様では、透水性の第１の層と、第１の層に取り付けられた第２の層とを含む複数層の表面処理パッドを提供する。固体漂白剤はポーチに収容され、ポーチは第１の層と第２の層とで画定される空洞の中に配置される。洗浄剤は、漂白剤からは基本的に隔離された位置でパッドの中に組み込まれる。
【００１５】
本発明の更なる別の態様では、複数層の表面処理パッドを提供する。パッドは、研磨性の外表面を有する第１の透水性の層と、第１の層に取り付けられた第２の透水性の層と、第２の層に取り付けられた第３の層とを含み、第２の層が第１の層と第３の層とではさみこまれている。このように、このパッドには２つの形成された空洞があり、１つは連結された第１の層と第２の層とから構成され、もうひとつは第２の層と第３の層とを用いている。固体漂白剤は２つの空洞のうちの少なくとも１つの中に配置され、洗浄剤は、パッドの中で固体漂白剤からは基本的に隔離された場所へ組み込まれる。
【００１６】
本発明の更なる別の態様では、フックループ式ファスナシステムの一方を有するハンドルと、複数層の表面処理パッドとを含む清掃用具を提供する。パッドは透水性の第１の層と、第１の層に取り付けられた第２の層とを含む。第２の層は、フックループ式ファスナシステムの係合する（第２の）部分として作用するのに好適である。パッドにはポーチに収容された固体漂白剤も含まれ、ポーチは第１の層と第２の層との間に画定される空洞の中に配置される。
【００１７】
本発明のまた更なる別の態様では、硬質表面の清掃方法を提供する。この方法においては、複数層で２つの空洞を有する清掃パッドが濡らされて、硬質表面の上を拭われて硬質表面に接触し、これによって硬質表面を清掃する。清掃パッドは、透水性の中間層と、パッドの中の清掃表面に最も近い空洞の中に配置された固体洗浄剤と、（残りの）第２の空洞の中に組み込まれた固体漂白剤と、を含む。清掃パッドはさらに、研磨性を有する第１の透水性外部層を含み、これが洗浄剤を含む空洞の一部を形成する。洗浄剤は空洞の内部表面に取り付けられる。固体漂白剤は、中間層と第２の外部層とで形成されるように画定された、残りの空洞の内部に配置される。この方法の一変形では、第２の外部層がハンドルに取り付けられ、パッドの第１の外部層が硬質表面の上を拭われて硬質表面と接触する。
【００１８】
使用時にパットが濡らされるまでは、洗剤混合物は基本的に漂白剤から隔離されている。こうして、使用前の洗剤混合物成分と漂白剤との望ましくない化学反応は防がれる。パッドが濡らされて使用されると（たとえば、短時間水中に保持した後、拭いたり／こすったりすると）、洗剤混合物および漂白剤を含む化学薬品が速やかに溶解して研磨層の外部へ移動し、清掃に供される。
【００１９】
このパッドはそのものだけで使用することもできる（Ｂｒｉｌｌｏ（商標）パッドと同じように）。あるいはハンドルに簡単に取り付けて使用することもできる。表面に接触する層から最遠のパッドの層が適切に織られた繊維になっていれば、その層は背面層としても作用するし、フックアンドループ接着システムの片割れとすることもできる。そうすると、その接着方式のもう一方の片割れを有するハンドルにパッドを簡単に接続することができる。フックアンドループ接着システム例の説明については特許文献２を参照されたい。
【００２０】
このパッドは低コストで製造できる。従って、比較的短時間パッドを使用（たとえば、浴槽周りの洗浄など）した後パッドを捨てて、もしさらに洗浄したい場合には、別のパッドに交換する、ということは現実的である。
【００２１】
前述およびその他の本発明の利点は、以下の説明で明らかとなるであろう。その説明においては、本発明を構成し、本発明のさまざまな例示的実施形態を図示している添付図面を参照する。これらの実施形態は本発明の全範囲を示すものではない。従って、本発明の範囲を解釈するためには本発明の請求範囲を参照すべきである。
【図面の簡単な説明】
【００２２】
【図１】本発明による２層表面処理パッドの透視図である。
【図２】３層を有する第２の実施形態に関する、図１と同様の図である。
【図３】図１の線３−３に沿った断面図である。
【図４】空洞の中での内容物の異なる配置を示した、図３と同様の図である。
【図５】空洞の中での内容物の異なる配置を示した、図３と同様の図である。
【図６】２層パッドにおける洗剤混合物の隔離のために図５の構造を変形させたものである。
【図７】図２の第２の実施形態の線７−７に沿った断面図である。
【図８】同一層構造において内容物の異なる配置を示した、図７と同様の図である。
【図９】同一層構造において内容物の異なる配置を示した、図７と同様の図である。
【図１０】同一層構造において内容物の異なる配置を示した、図７と同様の図である。
【図１１】同一層構造において内容物の異なる配置を示した、図７と同様の図である。
【図１２】第３の実施形態を示す、図３と同様の断面図である。
【図１３】第４の実施形態を示す、図７と同様の断面図である。
【図１４】第５の実施形態を示す、図１３と同様の断面図である。
【図１５】第６の実施形態を示す、図１３と同様の断面図である。
【図１６】本発明のパッドの取付ハンドルへの取り付け方を示す透視図である。
【図１７】図１６と同様の図であるが、主ハンドルがフックアンドループ式接着システム用の好適な材料でできていない場合に、ハンドルをフックアンドループ式接着システム用に変更した図である。
【図１８】そのような取付ハンドルへ取り付けられた、本発明の清掃パッドの透視図である。
【発明を実施するための形態】
【００２３】
図において、点は熱密封を示し、白丸は漂白剤成分、黒丸は洗浄剤を示し、また断面図における黒丸は固体ワックス界面活性剤を示す。
【００２４】
以下の図面の説明においては、それぞれの図における同様の部品に対しては同様の参照番号を使用する。
Ａ．全体概要
【００２５】
全般的な態様として本発明は、固体の洗剤混合物と固体の漂白剤とを含む２層あるいは３層の表面処理パッドであって、固体漂白剤と固体洗浄剤とが物理的に分離／隔離されているパッドを提供する。「層」という用語は、織布あるいは不織布、織物状材料、発泡シート、押出プラスチックシート、またはこれらの組合せのシートを指す。１つまたは複数の層は多孔性であってよく、水や洗浄水溶液が通過することができる。パッドはまた、ポリエチレンの連続シートなどの、少なくとも１層の水を浸透しない層から構成されている。層の外端は好ましくは、縫合、熱溶着、超音波溶接、接着剤、その他の手段により接着ないしは接合されている。好ましくは、複数の層の外端がその外周の少なくとも半分を互いに接着されて、最も好ましくは、複数の層の外端がその外周の全体を互いに接着されて、接合された隣接層が密閉された空洞を形成する。
Ｂ．パッドの設計／構造
【００２６】
広範な種類の基材層が可能であるが、合成（プラスチック）不織布が層としては好ましい。特に好適な材料は、さまざまな結合度のポリエステル、ポリエチレン、ポリプロピレン、ポリアミドあるいは任意の好適な合成共重合体である。これらの材料は、漂白剤による酸化劣化に対する良好な耐性を持ち、層と層との接着が良好で、従って、強固な密封性を有する空洞を形成する。
【００２７】
１つの態様において、本発明は２層の表面清掃パッドを提供する。このパッドは、透水性の第１の層と第２の層とを有す。第１の層と第２の層はその外周を囲んで、密封／接着／接合されている。固体漂白剤は接合された第１と第２の層で形成された空洞の中に入っている。２つの層の内少なくとも１つは、十分な多孔度を有して水や水溶液を通過させる。ただし固体漂白剤は通さない。固体洗浄剤は、このパッドの多孔質な外表面の少なくとも１つの上に、漂白剤からは基本的に分離されて組み入れられる。洗浄剤はパッドの外表面に、接着フィルム、ストライプ、ビーズ、ペーストなどの形で、付着される。パッドは硬質表面の清掃のためにハンドルに組み立てられる。パッドは使用前には実質的に乾燥しており、通常濡らしてから硬質表面の上を拭って接触し、そうして硬質表面を清掃する。好ましくは、洗浄剤が付着される層は、硬質表面に接触して清掃するための研磨性の外表面を有する。
【００２８】
本発明の第２の態様は、外周を囲んで相互に密封／接着／接合された第１および第２の層を有する２層の表面清掃パッドを提供する。個別に形成された透水性のポーチ、バッグ、または小袋に入れられた固体漂白剤は、第１及び第２の層を密封して形成された空洞の内部へ配置される。漂白剤を入れたポーチ／バッグ／小袋は、十分な多孔度があって、水や水溶液を透過させるが、固体漂白剤や固体洗剤混合物は透過しない。２つのパッド層の内の少なくとも１つは、水や水溶液を透過させるのに十分な多孔度を有する。固体洗浄剤は、パッドの２層により形成された空洞の中に、ポーチに入れられた漂白剤とは基本的に隔離されるように組み入れられる。洗浄剤は接着フィルム、ストライプ、ビーズ、ペースト、粉末、顆粒などの形であってもよい。好ましくは、ユーザとの乾燥状態での接触を防止するために、洗浄剤は、空洞の少なくとも１つの層の内面に水溶性の固体ワックスとして取り付けられる。パッドは硬質面の清掃用にハンドルに組み付けられる。パッドは使用前には実質的に乾燥しており、通常濡らしてから硬質表面の上を拭って接触し、そうして硬質表面を清掃する。好ましくは、パッドの少なくとも１つの透水性の層は硬質表面への接触および清浄のために研磨性の外表面を有する。
【００２９】
本発明の第３の態様が、３層の表面清掃パッドを提供する。このパッドは、第１の透水性（外部）層、透水性中間層および第３（外部）層を有する。第１、第２および第３の層はその外周を囲んで相互に、密封／接着／接合され、第１と第２の層、第２と第３の層を利用して、明確かつ独立した空洞が形成される。固体漂白剤はこの空洞の１つに入っており、洗浄剤は第２の空洞に入っている。２つの外部層の内の少なくとも１つは、水や水溶液を透過させるのに十分な多孔度を有する。中間層もまた、十分な多孔度を有して水や水溶液を通過させる。ただし固体漂白剤および洗浄剤は通さない。パッドは硬質面の清掃用にハンドルに組み付けられる。パッドは使用前には実質的に乾燥しており、濡らしてから硬質表面の上を拭って接触するように企図されており、それによって硬質表面を清掃する。好ましくは、パッドの少なくとも１つの多孔質外部層は硬質表面への接触および清浄のために研磨性の外表面を有する。
【００３０】
本発明の第４の態様が、３層の表面清掃パッドを提供する。このパッドは、第１の透水性（外部）層、透水性中間層および第３（外部）層を有する。第１、第２および第３の層はその外周を囲んで相互に、密封／接着／接合され、第１と第２の層、第２と第３の層を利用して、明確かつ独立した空洞が形成される。個別に形成された透水性のポーチ、バッグ、または小袋に入れられた固体漂白剤は、１つの空洞の内部に配置され、固体洗浄剤は第２の空洞へ配置される。漂白剤用のポーチ／バッグ／小袋を形成している、透水性材料は十分な多孔度を有して水や水溶液を通過させる。ただし固体漂白剤および洗浄剤は通さない。パッドの中間層は、水や水溶液を透過させるのに十分な多孔度を有する。パッドは硬質面の清掃用にハンドルに組み付けられる。パッドは使用前には実質的に乾燥しており、濡らしてから硬質表面の上を拭って接触するように企図されており、それによって硬質表面を清掃する。好ましくは、パッドの少なくとも１つの多孔質外部層は硬質表面への接触および清浄のために研磨性の外表面を有する。
【００３１】
さらに別の態様では、本発明は２層の表面処理パッドを提供する。パッドは、第１の透水性層、第１の層に付着した第２の層、２つの密封層で形成された空洞、分離して形成された多孔質の透水性ポーチ／バッグ／小袋に入れられた固体漂白剤、漂白剤から基本的に隔離されるように組み入れられた洗浄剤、を含む。漂白剤用のポーチ／バッグ／小袋の周囲の少なくとも一部を、パッド層の接着／接合用の外周シール部に含めることによって、漂白剤のポーチが空洞の内部に永続的に配置される。こうしてポーチが空洞の中の一定位置に固定される。あるいは、多孔質の中間層が２つの外部層によって「サンドイッチ」された構造の、３層パッドを適用することも可能である。パッドの中間層は、水や水溶液を透過させるのに十分な多孔度を有する。洗浄剤は、漂白剤からは基本的に隔離されるようにパッドの中に組み込まれる。この場合、漂白剤用のポーチ／バッグ／小袋の周囲の少なくとも一部を、パッド層の接着／接合用の外周シール部に含めることによって空洞の中の一定位置にポーチを固定し、その結果、漂白剤のポーチが、第１の層と中間層とによって形成された空洞、あるいは第３の層と中間層とによって形成された空洞の内部に永続的に配置される。２層および３層パッドのいずれの場合も、好ましくは、パッドの少なくとも１つの多孔質外部層は硬質表面への接触および清浄のために研磨性の外表面を有する。
【００３２】
さらに別の態様において、本発明は硬質表面の清掃用具を提供する。この用具は、フックループ式ファスナシステムの一方の部分を含むハンドルと、固体漂白剤および固体洗剤混合物とを含んだ複数層の表面処理パッドと、を含む。このパッドは最低限、（ｉ）清掃対象の面に接触する「外側」の透水性の第１の層、（ｉｉ）フックループ式ファスナシステムの係合面として作用するのに好適な、第２の「背面」層、とを含む。そして、上述の外部層と背面層との間に「サンドイッチ」された第３の層を、選択的に含む。
【００３３】
本発明の最も好適な清掃パッドは、硬質表面清掃用の研磨性の透水性外部層と、透水性の中間層と、非透水性でフックアンドループ接着システムの一方の部分をなす組織を外表面に有する背面層と、の３層を有する。中間層と背面層とで形成される空洞は、好ましくは透水性ポーチ／バッグ／小袋の中に入れられた漂白剤を保持し、その一方で、中間層と研磨性外部層とで形成される空洞には、外部（研磨性）層の内側（空洞）面に添付されたワックス性洗剤混合物が含まれる。広範な種類の基材層が可能であるが、合成（プラスチック）不織布が層としては好ましい。特に好適な材料は、さまざまな結合度のポリエステル、ポリエチレン、およびポリプロピレン、ポリアミドあるいは任意の好適な合成共重合体である。これらの材料は、漂白剤による酸化劣化に対する良好な耐性を持ち、層と層との結合が良好で、従って、強固な密封性を有する空洞およびパッド全体を形成する。
【００３４】
清掃面に対向する研磨面は、摩耗を与えるのに好適な形の高分子繊維を含んでもよい。研磨層の高分子繊維は、通常開放された多孔質構造となるように準備される。研磨層は、単に磨き、拭きとり、乾かすという機能よりも、ごしごしこすり取ることが可能である。一形態では、研磨層の秤量は、約１０ｇ／ｍ2〜約３００ｇ／ｍ2、好ましくは約１００ｇ／ｍ2〜約２００ｇ／ｍ2、最も好ましくは約１３０ｇ／ｍ2〜約１７０ｇ／ｍ2である。１つの実施例では研磨層は、アクリル樹脂のバインダで結合された１００％ポリエステル繊維などのようなポリエステル／アクリル樹脂材料でできていてもよい。１つの好適な研磨層は、ＭａｔａｄｏｒグレードＲＤ３３７０−２（カナダＭａｔａｄｏｒ  Ｃｏｎｖｅｒｔｅｒｓ  Ｃｏ．Ｌｔｄ．社）として市販されている材料である。これは、アクリル樹脂バインダで結合された１００％ポリエステル繊維である。研磨層の研磨性は、製品の使用目的によって変わりうる。たとえば、研磨層表面に高低のある領域を与えることにより研磨性を増大させることができる。また、研磨層の所望の研磨性によって、繊維材料、繊維長、繊維断面積、繊維直径、層の秤量などのすべてを変えることができる。
【００３５】
フックアンドループ式接着システムの片面が取付ハンドルにある場合、対応する面を形成するのに好適な背面層は、押出合成フィルム上に組み込まれた、少なくとも部分的に合成不織材料で作られた材料であってよい。背面層の外表面は不織材料であり、（Ｖｅｌｃｒｏ（登録商標）アセンブリシステムなどの）フックアンドループ式接着システム用のループ材料として機能し、個別のループ用細片を必要としない。一例では、背面層は、押出ポリエチレンフィルム（約２５マイクロメートル厚さ）の上に形成された、たとえばＡｈｌｓｔｒｏｍグレード２６０３２（米国コネチカット州Ａｈｌｓｔｒｏｍ  Ｗｉｎｄｓｏｒ  Ｌｏｃｋｓ  ＬＬＣ）として市販されている、ポリエステルのスパンレース不織材料である。背面層は、パッドの所期利用方法によって、透水性でも不透水性でもよい。
【００３６】
好適な多孔質の内部中間層（３層構造における）は、少なくとも部分的に合成不織材料でできていてもよい。好ましくは、孔のサイズは十分に小さくて、洗剤混合物が粉末もしくは顆粒／微粒子である場合には、乾燥した微粒状の漂白剤がこの洗剤混合物と入り混じることを防ぐことができる。好適な多孔質中間層の１つは、ＭａｔａｄｏｒグレードＦＦ０３０５として市販されている材料であり、これは１００％ポリエステル不織材料である。別の好適な多孔質中間層は、ＭａｔａｄｏｒグレードＲＤ３３７０−２として市販されている材料であり、これはアクリル樹脂バインダで接合された１００％ポリエステル不織材料である。
Ｃ．固体洗剤混合物
【００３７】
基本的に乾燥した水溶性ワックスの固体として、フィルム、ストライプ、ビーズ、「点」、あるいはそのほかの高さの低い形状で少なくとも１つのパッド層に添付されるように、洗浄剤を本発明の清掃パッドの中に組み込むことが好ましい。このパッドが濡らされて清掃に使用されると、水溶性ワックスの固体洗剤化合物が清掃プロセスの間中、非常に望ましい連続的かつ一様な洗浄剤の制御放出を行う。洗浄剤を固定しない粉末や顆粒、あるいは事前成形物としてパッドに含めることも可能であるが、それほど望ましくはない。
【００３８】
この洗浄剤が少なくとも1つの水溶性非イオン界面活性剤、すなわちポリエチレングリコール（ＰＥＧ）を含むことが好ましい。これは室温では固体ワックスであるが、約４０〜７０℃で流動性のある液体／ペーストとなる。これにより、洗浄剤は、高い温度での流動性のあるペーストとなり、このパッドの少なくとも１層の１面へ高い温度で塗布し接着するのに好適であり、室温へ冷却することにより水溶性の固体ワックスとすることができる。この洗浄剤には、陰イオン界面活性剤、陽イオン界面活性剤、両性（ａｍｐｈｏｔｅｒｉｃ）／両性（ｚｗｉｔｔｅｒｉｏｎｉｃ）イオン界面活性剤、液体非イオン界面活性剤、洗剤ビルダ、キレート剤、リンス補助剤、表面改質抗リソイル剤（ａｎｔｉ−ｒｅｓｏｉｌｉｎｇ）、無機あるいは有機のｐＨ緩衝材、固体屈水剤（ｈｙｄｒｏｔｒｏｐｉｎｇ  ａｇｅｎｔ）、染料、香料、などのようなその他の界面活性剤および洗浄補助剤が含まれてもよい。この洗浄剤が１つ以上の化学成分を含む場合には、本発明の清掃パッドに組み込む前に成分を結合および処理して、好ましくは溶融ブレンドした後に混合物を室温まで冷却する工程を経て水溶性固体ワックスの形とした、相対的に均一な混合物を形成することが望ましい。あるいは、洗剤混合物は、パッド層により形成された空洞に調和し、直接挿入できるような固体洗剤ブロックや固体リボン、固体撚り糸の形へ事前成形することもできる。実際的には、事前成形された固体洗剤ブロック／リボン／撚り糸は、半粉末形状のままで均一な混合物を形成するように洗剤成分を混合調和することによって製造することができる。この混合物は押出機に送られて固体洗剤ブロック／リボン／撚り糸となり、さらに処理されてより小さな事前成形物となって、上述の洗浄パッドの空洞中へ組み込まれる。
【００３９】
上述の洗浄剤は、少なくとも５重量％の固体ワックス水溶性非イオン界面活性剤すなわちＰＥＧを含み、これは約４０〜７０℃の温度領域で溶融して流動性のある液体／ペーストとなる。好ましくは、この洗浄剤は、少なくとも１５重量％の固体ワックス水溶性非イオン界面活性剤すなわちＰＥＧを含む。最も好ましくは、この洗浄剤は、約２０〜４５重量％の固体ワックス水溶性非イオン界面活性剤すなわちＰＥＧを含む。好適な固体ワックス水溶性非イオン界面活性剤すなわちポリエチレングリコールポリマは、以下のものを含む。
・ＥＯ（エチレン酸化物）対アルコールのモル比が約２５対１あるいはそれより大きく、少なくとも４０℃の融点を有するエトキシル化アルコール非イオン界面活性剤。代表的な例は，Ｇｅｎａｐｏｌ（登録商標）Ｔ−５００（Ｃｌａｒｉａｎｔ  Ｃｏｒｐｏｒａｔｉｏｎ  社、５０モルエトキシル化獣脂アルコール）。
・エチレン酸化物とプロピレン酸化物ブロックの共重合体界面活性剤。ＨＬＢ（親水性親油性バランス）値が約２０もしくはそれより大きく、少なくとも４０℃の融点を有する。代表的な例は、Ｐｌｕｒｏｎｉｃ（登録商標）Ｆ−８７（ＢＡＳＦ  Ｃｏｒｐｏｒａｔｉｏｎ社）。
・平均分子量が少なくとも約１２００で融点が少なくとも４０℃である、ポリエチレングリコールポリマ。代表的な例は、Ｐｌｕｒａｃｏｌ（登録商標）Ｅ１４５０（ＢＡＳＦ  Ｃｏｒｐｏｒａｔｉｏｎ社）。
これらの固体ワックス界面活性剤、すなわちポリエチレングリコールは、水へは若干ゆっくりと溶ける傾向にあり、従って制御放出機構として作用する。このような材料をほかの洗剤混合物成分と溶融ブレンドしたものも、水で濡らした場合の放出を制御することができ、特に望ましい。
【００４０】
良好な洗浄および発泡特性のためには、上述の洗浄剤が１つまたは複数の固体陰イオン界面活性剤を含むことが好ましい。好適な陰イオン界面活性剤としては、アルキル硫酸塩、アルカンスルフォン酸塩、アルキルアリルスルフォン酸塩、アルファオレフィンスルフォン酸塩、およびアルキレート化ジフェニルオキサイドスルフォン酸塩、がある（ただしこれに限るものではない）。上述の洗浄剤は好ましくは、約１０〜７５重量％の全固体陰イオン界面活性剤を含む。特に好ましくは、約２０〜６０重量％の全固体陰イオン界面活性剤を含む。
【００４１】
このような洗浄剤混合物に使用する洗剤ビルダの例としては、アルカリ金属炭酸塩（ナトリウム／カリウムの炭酸塩／重炭酸塩）、ポリアクリル酸ポリマ、ナトリウム／カリウムのクエン酸塩、アルカリ金属リン酸塩およびアミノカルボン酸塩、などが含まれる。屈水剤の例としては、芳香族スルフォン酸のアルカリ金属塩（キシレンスルフォン酸ナトリウム、トルエンスルフォン酸ナトリウム、およびクメンスルフォン酸ナトリウム）が含まれる。液体非イオン界面活性剤の例として、ＥＯ対アルコールのモル比が約１０対１あるいはそれより小さいエトキシル化Ｃ８〜Ｃ１８アルコールがある。ｐＨ緩衝剤の例としては、アルカリ金属炭酸塩（ナトリウム／カリウムの炭酸塩／重炭酸塩）、ポリアクリル酸ポリマ、ナトリウム／カリウムのクエン酸塩、アルカリ金属リン酸塩、アルカリ金属ホウ酸塩、クエン酸、リンゴ酸、スルファミン酸、グルタル酸、琥珀酸、アジピン酸およびアルカリ金属重硫酸塩、が含まれる。フィラーの例としては、硫酸ナトリウム、塩化ナトリウム、シリカおよびアルミナが含まれる。リンス補助剤、表面改質抗リソイル剤の例としては、ポリアクリル酸ポリマ、スルフォン化ポリスチレンポリマおよびその誘導体／共重合体が含まれる。
【００４２】
処理された洗剤混合物は、常温で固体であるが、約４０℃より高い温度においては流動性を有するように処理されることが好ましい。これにより、洗剤混合物を容易に溶かしてパッド層の表面に塗布することが可能となる。洗剤混合物はその後冷却されて、上述の層の表面に固定／付着する。これは、洗浄混合物を塗布する層が、ポリエチレンやポリプロピレン、ポリエステルなどの開放気泡型の合成繊維の多孔質繊維である場合に最も効果的である。このように、洗剤混合物は室温で固体であるが、約４０℃より高い温度、好ましくは約５０℃より高い温度、そして最も好ましくは約６０℃より高い温度では流動性がある。この融解固定により、洗剤が使用以前に漂白剤と接触しないようになる。
【００４３】
使用前に漂白剤と洗剤との混合を最小化するために、洗浄混合物全体が、本質的に乾燥していることが最も好ましい。従って、洗剤混合物の水含有量が約１５重量％より小さいことが望ましく、ほぼ、あるいは完全な無水洗剤混合物が特に好ましい。
【００４４】
好適な洗剤混合物の例を表１に示す。
【表１】
2010515482.tif 000003
【００４５】
好適な調合方法は、固体原料を乾式混合し、次いで液体非イオン成分および香料成分を追加し、得られた混合物を攪拌しながら７０℃で短時間加熱する。白い流体の粘性ペーストが得られ、これは多孔質の基材繊維表面に容易に塗布（融解固定）することができ、その後室温に冷却すると、付着した洗剤混合物の水溶性固体ワックスができる。この洗剤混合物は溶解するとｐＨが約７となる。
【００４６】
複数層の清掃パッドに含まれる洗浄剤の量は、約０．１ｇ〜約２０ｇの範囲である。好ましくは、清掃パッドは約１ｇ〜約１０ｇの範囲の洗浄剤を含み、最も好ましくは、約２ｇ〜約６ｇの洗浄剤を含む。
Ｄ．固体漂白剤
【００４７】
本発明による固体漂白剤は、種々の過酸化物およびハロゲン系漂白剤化合物から選択することができる。ハロゲン系漂白剤の非限定的な例としては、ハロゲン化シアヌル酸およびその誘導体塩、ハロゲン化ヒダントイン、Ｎ−塩化スクシンイミド、Ｎ−塩化アリルスルホンアミド、Ｎ−塩化グリコリル、Ｎ−塩化メラミン、および次亜塩素酸カルシウム塩、が含まれる。固体過酸化物系漂白剤の非限定的な例としては、アルカリ金属過ホウ酸塩、アルカリ金属過炭酸塩、モノ過硫酸塩（たとえばデュポン（ＤｕＰｏｎｔ）Ｏｘｏｎｅ（登録商標）、２ＫＨＳＯ5・ＫＨＳＯ4・Ｋ2ＳＯ4）、ペルオキシ尿素、ポリビニルピロリドンの過酸化水素アダクツ（たとえばＩＳＰＰｅｒｏｘｉｄｏｎｅ（登録商標））、固体有機過カルボン酸化合物（たとえば、マグネシウムモノ過酸化フタール酸や、フタルイミド−過酸化ヘキサン酸）が含まれる。無水ジクロロイソシアヌール酸ナトリウムおよび類似のジクロロイソシアヌール酸ナトリウム二水和物は、その良好な水溶性、効果的な漂白性能および抗菌性と、粉末、顆粒、固体としてさまざまな形態での商業的入手性とにより、特に好適な漂白剤である。
【００４８】
本発明による清掃パッドは、約０．１ｇ〜約１０ｇの固体漂白剤を、好ましくは約０．２５ｇ〜約２．５ｇの固体漂白剤を、含む。固体漂白剤は、エンドユーザが清掃パッドを水で濡らした場合にその材料が良好な溶解性を示しさえすれば、いかなる形態（粉末、顆粒、成形体など）であってもよい。
【００４９】
漂白剤は、本発明によれば、パッドに組み込まれる前にポーチ／バッグ／小袋に入れられる。ポーチ／バッグ／小袋は透水性材料で形成される。透水性材料は、ポーチの内部へ水を透過させて漂白剤の一部を溶解させ、水と溶解した漂白剤との混合物をポーチの外へ透過して戻す。ポーチは好ましくは、多孔質の合成繊維材料のような透水性材料でできている。好適な繊維としては、１つまたは複数のポリエステル、ポリエチレン、ポリプロピレンなどの繊維素材から形成されるものが含まれる。ポーチ材料の一例は、ＡｈｌｓｔｒｏｍグレードＳＸ５４６として市販されている、ポリエステルのスパンレース不織材料である。ポーチの好適な多孔度の選択により、漂白剤の放出速度を制御し、固体の漂白剤および固体の洗浄剤がポーチを透過することのないようにできる。ポーチの外端が好ましくは熱溶着で接合されているが、端部は縫合、超音波溶接、接着剤、その他の手段により接合することが可能である。
【００５０】
固体漂白剤を、上述の清掃パッドの２つの層を接合／密封して形成される空洞の中へ直接入れ込んでもよい。本発明のいかなるパッド構成であっても、清掃パッドの空洞は、少なくとも１つの多孔質で透水性の層を用いなければならない。そのようにして、この層の多孔度は十分に小さくて、製品の製造時あるいは最終消費までの保管の期間に固体漂白剤がパッド層を介して透過することを防ぐことが可能でなければならない。この層の多孔度の仕様は、固体漂白剤の粒子特性に依存する。
【００５１】
本発明で使用のパッドは、必要に応じて少量の湿気が存在することはあり得るが、好ましくは保管中には基本的に乾燥していることを理解されたい。従って、このパッドの包装は、保湿されたパッド用に通常使用されるような密封シールされたポーチほどに高価である必要はない。パッドの化学成分（洗剤混合物および漂白剤）への総吸湿量は、化学成分総重量の約１５％未満であることが好ましく、最も好ましくは１０％未満である。
【００５２】
また、使用時にパットが濡らされるまでは、洗剤混合物は漂白剤から基本的に隔離されている。こうして、使用前の洗剤混合物の成分と漂白剤との望ましくない化学反応は防がれる。パッドが濡らされて使用されると（たとえば、短時間水中に保持した後、拭いたり／こすったりすると）、洗剤混合物および漂白剤を含む化学薬品が速やかに溶解して研磨層の外部へ移動し、清掃に供される。
【００５３】
またさらに別の態様では、本発明は硬質表面の清掃方法を提供する。この方法においては、上述の本発明による任意の清掃パッドが使用される。清掃パッドが液体（通常は水）で濡らされ、硬質面上を拭われて硬質面と接触し、それによって硬質表面が清掃される。
【００５４】
本発明の最も好適な清掃パッドは、硬質表面清掃用の研磨性の透水性外部層と、透水性の中間層と、非透水性でフックアンドループ接着システムの一方の部分をなす組織を外表面に有する背面層と、の３層を有する。中間層と背面層とで形成される空洞は、透水性ポーチの中に含まれた漂白剤を保持し、その一方で、中間層と研磨性外部層とで形成される空洞には、外部（研磨性）層の内側（空洞）面に添付されたワックス性洗剤混合物が含まれる。上述の最も好ましい清掃パッドについて以下にさらに記述する。
・多孔質の外部研磨層は、１２ｘ９．５ｃｍの熱接合された不織ポリエステル繊維シートである。
・多孔質の中間層は、１２ｘ９．５ｃｍの厚い不織ポリエステル繊維シートである。
・背面層は、１２ｘ９．５ｃｍのポリエステルのスパンレース不織材料を（非多孔質の）ポリエチレン押出フィルム上に組み込んだシートであり、背面層の外表面は不織材料で、フックアンドループ式接着システム用のループ材料として機能する。
・スパンレースのポリエステル不織材料でできた、密封された１２ｘ４ｃｍの多孔質ポーチの中に、ジクロロイソシアヌール酸ナトリウム二水和物の漂白剤０．７ｇが含まれる。
・表１中の好適な洗剤組成物４．０ｇが、外部研磨層の内部表面中央に配置された９ｘ６ｃｍの矩形領域に亘るフィルムとして均一に融解固定される。
・このパッドの３層がその外周を囲んで完全に熱密封／接合される。またこのとき、ポーチの長手軸の両端を、密封する外周部に含めることによりこの漂白剤ポーチを空洞の中に固定する。
・図１５に上述のように組み立てられた好適な清掃パッドの構成を示す。
【００５５】
次に図を参照すると、本発明の複数層の表面処理パッド１０が図１に示されている。図３でわかるように、第１の層１２が備えられ、これは研磨性であり、いずれにしても透水性である。第２の背面層１４が、外周端部１６で第１の層１２に取り付けられている。第１の層１２および第２の層１４が、第１の層１２および第２の層１４の全外周に囲まれて密封された、第１の層１２および第２の層１４との間の空洞１８を画定する。
【００５６】
図３〜４においては、固体漂白剤２０と洗剤混合物２２とは空洞１８の中で固定されておらず、従って、最初にポーチの中に分離して積層されたとしても相互に隔離されないことがわかるであろう。しかしこれは漂白剤と洗剤混合物ワックスを収納する簡便な方法である。
【００５７】
さらに図５に示すように、洗剤混合物２３を層１４の内側に対して融解付着させれば、図５の構造は大変有利である。
【００５８】
しかし、漂白剤を洗剤混合物から隔離することが好ましい。従って図６に示すように、２層構造に対しては洗剤混合物２５を研磨層１２の外側表面に融解付着することが好ましい。
【００５９】
図２および図７は本発明による３層パッド１３を示す。ここで図８〜１１は、構造が同じで、漂白剤と洗剤混合物の配置が異なる代替の実施形態を示す。従って、外部層１２および１４は同一である。層１２は透水性であり、選択的に（しかし好ましくは）研磨性がある。第３（中間）の層１５は層１２と１４とに挟まれていて、透水性である。層１２、１４、１５は、層１２、１４、１５の全外周に亘って密封されている。
【００６０】
図７の実施形態では、固体漂白剤２０は層１５と１２の間で固定されてなく、その一方で洗剤混合物２３は層１５と１４の間にあって、層１５に接している。
【００６１】
図８の実施形態においては、洗剤混合物が層１４に融解付着されている以外は同様の構造となっている。
【００６２】
図９及び１０の実施形態においては、洗剤混合物は層１２と１５との間にある。図９の実施形態においては、洗剤混合物は層１２に接し、漂白剤は層１５と１４との間にある。図９は、背面層１４も漂白剤を保持するのに役立つので、特に好適な実施形態である。
【００６３】
図１０の実施形態では洗剤混合物２３は層１５に融解付着されている。
【００６４】
図１１の実施形態では、洗剤混合物が層１４と１５の両方に融解付着されて、洗剤混合物２３と層１５との間に空隙がないことを除けば、構造は図８と同様である。
【００６５】
図１２の実施形態においては、本発明による複数層表面処理パッド１０が、わずかに研磨性を有し透水性のある第１の層１２を含む。第２の層１４が、外周端部１６で第１の層１２に取り付けられている。第１の層１２と第２の層１４とが、第１の層１２と第２の層１４との間に密封された空洞１８を画定する。空洞１８には漂白剤２０が入ったポーチ２９が配置される。ポーチ２９は前述したように、透水性材料もしくは水溶性材料でできている。ポーチ２９は好ましくは第１の層１２に付着している。空洞１８にはまた、前述した方法で形成された固体洗剤ブロック２８が配置される。
【００６６】
図１３の実施形態においては、同じ外部層１２および１４がある。層１２は透水性であり、選択的に（しかし好ましくは）研磨性がある。第３（中間）の層１５は層１２と１４とに挟まれていて、透水性である。層１２、１４および１５が、層１２、１４および１５の外周を囲んで密封され、層１２と層１５との間に空洞１８ａを、層１４と層１５との間に空洞１８ｂを画定する。空洞１８ａには、前述した方法で形成された固体洗剤ブロック２８が配置される。空洞１８ｂには漂白剤２０が入ったポーチ２９が配置される。
【００６７】
図１４の実施形態においては、同じ外部層１２および１４がある。層１２は透水性であり、選択的に（しかし好ましくは）研磨性がある。第３（中間）の層１５は、層１２と１４とに挟まれていて、透水性である。層１２、１４および１５が、層１２、１４および１５の外周を囲んで密封され、層１２と層１５との間に空洞１８ａを、層１４と層１５との間に空洞１８ｂを画定する。空洞１８ａには漂白剤２０が入ったポーチ２９が配置される。空洞１８ｂには、前述した方法で形成された固体洗剤ブロック２８が配置される。
【００６８】
図１５の実施形態においては、同じ外部層１２および１４がある。層１２は透水性であり、選択的に（しかし好ましくは）研磨性がある。第３（中間）の層１５は、層１２と１４とに挟まれていて、透水性である。層１２、１４および１５が、層１２、１４および１５の外周を囲んで密封され、層１２と層１５との間に空洞１８ａを、層１４と層１５との間に空洞１８ｂを画定する。洗剤混合物２３が、空洞１８ａの中で層１２に融解付着されている。空洞１８ｂには漂白剤２０が入ったポーチ２９が配置される。ポーチ２９の長手軸の端部２９ａ、２９ｂ、２９ｃ、２９ｄを密封する外周部に含めることにより、ポーチ２９は空洞１８ｂ内に固定される。
【００６９】
次に図１６〜１８を参照すると、本発明によるパッド１３が取付ハンドル２４と組み合わせて使用される。パッド１３は、任意の従来の取付方法で取付ハンドル２４に取り付けられる。しかし好適な態様においては、パッド１３はフックアンドループ接着システムにより取付ハンドル２４に取り付けられる。
【００７０】
図１６は、ハンドルの底面２６と層１４とのそれら自身がフックアンドループ接着システムに好適な材料で形成されていることを示すものである。図１７に示すようにその代わりに、ハンドルの底面２６にフックループ取付部材の細片３２が添付されてもよい。
【００７１】
図１８に示すように、取付ハンドル２４がパッド１３に取り付けられれば、パッド１３は使用可能となる。これらのパッドの好適な使用法の１つは、流水（たとえば温水）で約２秒間パッドを濡らすことである。それから、このパッドを浴室の壁や設備、そのほかの硬質面に対して接触させてごしごしこすって使用することができる。
【００７２】
このパッドは、ハンドル２４なしでパッドだけで使用することが可能であるが、このようなパッドは図１８に示すようなハンドルに取り付けて使用することが特に好ましい。このハンドルは当社からの特許文献２に詳述されている。そうすることによって、ユーザはハンドルを把持して、清掃面へより大きな力でパッドを押しつけることができる。
【００７３】
使用後には、取付ハンドル２４の底部と本発明のパッド１３の第１の層１２との間のフックアンドループ式接着システムを引きはがして、使用済みのパッド１３を捨てることができる。次に、交換パッド１３を取付ハンドル２４に押しつけ、フックアンドループ接合をまた行うことができる。
【００７４】
本発明の清掃パッドはこのように硬質表面清掃機能を果たすのに有効であり、独自の洗浄化学成分を供給できる。特に重要なことは、漂白剤と洗浄成分の化学的特性を保全したまま、また過度にコストを上げることなく、処理する面に対してそれらの両方が出されることができることである。洗剤系を漂白剤から隔離することで、漂白剤の安定性および化学特性が最適化される。また、漂白剤はとりわけ、モールドのさび、悪臭、バクテリアを抑える作用に備えることができる。
【００７５】
以上、本発明の好適な実施形態について説明した。しかしながら、本発明の精神および範囲を逸脱することなしに、当業者がさらに他の変更を行うことは可能である。たとえば、パッドは３層より層が多いことも可能である。あるいは、平面図が正方形もしくは矩形である必要はない。また、背面層がハンドルとの接合に他の手段（たとえば、接着剤付きの剥離層）を有してもよいし、他の化学物質（たとえば、光沢剤）が加えられてもよい。
【００７６】
よって、本発明の範囲は好適な実施形態のみによって判断されるべきでは全くない。むしろ、本発明の全範囲を判断するためには、以下の請求の範囲が検討されるべきである。産業上の利用可能性
【００７７】
本発明は漂白清掃パッドを提供するものであり、これは従来設備および技術を用いて容易に製造でき、洗浄および漂白成分の化学的特性を損なうことなしに長期間の保存ができ、エンドユーザがこのパッドを濡らしてから硬質面を拭いたりこすったりすることによりこれらの化学成分を容易に放出することが可能である。
【図１】
2010515482.tif 000004
【図２】
2010515482.tif 000005
【図３】
2010515482.tif 000006
【図４】
2010515482.tif 000007
【図５】
2010515482.tif 000008
【図６】
2010515482.tif 000009
【図７】
2010515482.tif 000010
【図８】
2010515482.tif 000011
【図９】
2010515482.tif 000012
【図１０】
2010515482.tif 000013
【図１１】
2010515482.tif 000014
【図１２】
2010515482.tif 000015
【図１３】
2010515482.tif 000016
【図１４】
2010515482.tif 000017
【図１５】
2010515482.tif 000018
【図１６】
2010515482.tif 000019
【図１７】
2010515482.tif 000020
【図１８】
2010515482.tif 000021
【国際調査報告】
2010515482.tif 000022
2010515482.tif 000023
2010515482.tif 000024
2010515482.tif 000025
2010515482.tif 000026
2010515482.tif 000027